(57)【要約】  本発明は防水性のシート材で形成された糞収納袋と、この糞収納袋の両側面の開口端部を外側に折り返して形成した取手板収納部の先端部が位置するように先端部が該取手板収納部に取付けられた一対の取手板とで構成され、かたい糞でも軟らかい糞でも、へらでかき集め状態で糞収納袋に確実に回収することができるとともに、持ち歩きが容易で、手を汚すことなく、簡単に使用することができる。
2007057970.tif 000002
【特許請求の範囲】
【請求項１】
防水性のシート材で形成された糞収納袋と、この糞収納袋の両側面の開口端部を外側に折り返して形成した取手板収納部の先端部が位置するように先端部が該取手板収納部に取付けられた一対の取手板とからなることを特徴とする糞回収具。
【請求項２】
防水性のシート材で形成された糞収納袋と、この糞収納袋の両側面の開口端部に内底面が位置するように設けた一対の取手板収納袋と、この一対の取手板収納袋に先端部が挿入固定された一対の取手板とからなることを特徴とする糞回収具。
【請求項３】
一対の取手板は糞収納袋に着脱可能あるいは固定的に取付けられていることを特徴とする請求項１、２いずれかに記載の糞回収具。
【請求項４】
一対の取手板には重ね合わせた状態で係止する係止手段が設けられていることを特徴とする請求項１ないし３いずれかに記載の糞回収具。
【発明の詳細な説明】
【技術分野】
【０００１】
本発明は主に犬の散歩時に犬がする糞を回収する糞回収具に関する。
【背景技術】
【０００２】
従来、犬の散歩時に犬がする糞はプラスチック製品で形成された糞回収具やビニール袋を用いて行なわれている。【０００３】
しかしながら、糞回収具は糞の回収にビニール袋を取付けて使用しなければならず、面倒であるとともに、持ち歩くには大きく、じゃまになりやすいという欠点があった。
また、ビニール袋はかたい糞であれば容易に回収することができるが、軟らかい糞は完全に回収することが難しく、地面に残ってしまうという欠点があった。
【特許文献１】特開２００５−２８７４８０
【発明の開示】
【発明が解決しようとする課題】
【０００４】
本発明は以上のような従来の欠点に鑑み、かたい糞でも軟らかい糞でも、へらでかき集め状態で糞収納袋に確実に回収することができるとともに、持ち歩きが容易で、手を汚すことなく、簡単に使用することができる糞回収具を提供することを目的としている。【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は防水性のシート材で形成された糞収納袋と、この糞収納袋の両側面の開口端部を外側に折り返して形成した取手板収納部の先端部が位置するように先端部が該取手板収納部に取付けられた一対の取手板とで糞回収具を構成している。
【発明の効果】
【０００７】
以上の説明から明らかなように、本発明にあっては次に列挙する効果が得られる。【０００８】
（１）防水性のシート材で形成された糞収納袋と、この糞収納袋の両側面の開口端部を外側に折り返して形成した取手板収納部の先端部が位置するように先端部が該取手板収納部に取付けられた一対の取手板とで構成されているので、一対の取手板を持って糞収納袋の開口部を開放し、開口部内に糞を位置させて、取手板で糞収納袋の開口部を閉じる方向に押し圧することにより、糞を糞収納袋内に収納することができる。
この時、軟らかい糞であっても、取手板がへらの役目をして、確実に糞収納袋内へ糞を収納回収することができる。【０００９】
（２）前記（１）によって、取手板を持って糞収納袋を開口し、閉じる操作でよいので、誰にでも容易に、簡単に糞を糞収納袋内へ手を汚すことなく収納回収することができる。【００１０】
（３）前記（１）によって、糞収納袋内に糞を収納回収した後は、取手板を重ね合わせて持つことにより、糞収納袋の開口部は閉じた状態となり、容易に持ち運ぶことができる。【００１１】
（４）前記（１）によって、糞収納袋と一対の取手板で構成されているので、安価に製造することができるとともに、使用前は薄くて小さくたたむことができる。
したがって、持ち歩きが容易で、犬の散歩も気軽にできるとともに、犬の糞の放置も効率よく防止することができる。【００１２】
（５）前記（１）によって、糞収納袋の両側面の開口端部を外側に折り返して形成した取手板収納部の先端部に一対の取手板の先端部が位置するように取付けられているので、糞の回収時には回収される糞が一対の取手板に付着するのを確実に防止することができる。
したがって、糞の回収後の糞収納袋と一対の取手板の分別や、一対の取手板の再使用のための糞の回収後の糞収納袋からの取りはずし時に、一対の取手板に糞が付着しておらず、きれいで、気軽におこなうことができる。【００１３】
（６）請求項２、３も前記（１）〜（４）と同様な効果が得られる。【００１４】
（７）請求項４も前記（１）〜（４）と同様な効果が得られるとともに、糞を収納回収した後に、一対の取手板を重ねて係止手段で係止できるため、糞収納袋の開口部を閉じることができ、安全に持ち歩くことができる。
【図面の簡単な説明】
【００１５】
【図１】本発明を実施するための最良の第１の形態の平面図。
【図２】本発明を実施するための最良の第１の形態の正面図。
【図３】図１の３−３線に沿う断面図。
【図４】本発明を実施するための最良の第１の形態の糞収納袋の説明図。
【図５】本発明を実施するための最良の第１の形態の一対の取手板の説明図。
【図６】本発明を実施するための最良の第１の形態の折りたたみ状態の説明図。
【図７】本発明を実施するための最良の第１の形態の糞収納袋の開口部を開口した状態の説明図。
【図８】本発明を実施するための最良の第１の形態の開口部内に糞を位置させた状態の説明図。
【図９】本発明を実施するための最良の第１の形態の糞収納袋内に糞を収納させる状態の説明図。
【図１０】本発明を実施するための最良の第１の形態の開口部を上部に位置させた状態の説明図。
【図１１】本発明を実施するための最良の第１の形態の一対の取手板を係止させた状態の説明図。
【図１２】本発明を実施するための第２の形態の平面図。
【図１３】本発明を実施するための第２の形態の正面図。
【図１４】図１２の１４−１４線に沿う断面図。
【図１５】本発明を実施するための第３の形態の平面図。
【図１６】本発明を実施するための第３の形態の正面図。
【図１７】図１５の１７−１７線に沿う断面図。
【図１８】本発明を実施するための第４の形態の平面図。
【図１９】本発明を実施するための第４の形態の正面図。
【図２０】図１８の２０−２０線に沿う断面図。
【図２１】本発明を実施するための第５の形態の平面図。
【図２２】本発明を実施するための第５の形態の正面図。
【図２３】図２１の２３−２３線に沿う断面図。
【図２４】本発明を実施するための第６の形態の平面図。
【図２５】本発明を実施するための第６の形態の正面図。
【図２６】図２４の２６−２６線に沿う断面図。
【図２７】本発明を実施するための第７の形態の平面図。
【図２８】本発明を実施するための第７の形態の正面図。
【図２９】図２７の２９−２９線に沿う断面図。
【符号の説明】
【００１６】
１、１Ａ、１Ｂ、１Ｃ、１Ｄ、１Ｅ、１Ｆ：糞回収具、
２、２Ａ、２Ｂ：糞収納袋、
３、３Ａ、３Ｂ、３Ｃ、３Ｄ、３Ｅ、３Ｆ：取手板、
４：開口部、                  ５：糞収納袋本体、
６：溶着、                    ７：取手板収納部、
８、８Ａ：取手板本体、        ９、9Ａ：指挿入孔、
１０：切り欠き、              １１：係止片、
１２：糞、                    １３：取手板収納袋、
１４：袋部、                  １５：固定手段、
１６：挟着片、                １７：係合孔、
１８、１８Ａ：係合片、        １９：剥離紙、
２０：両面テープ。
【発明を実施するための最良の形態】
【００１７】
以下、図面に示す本発明を実施するための最良の形態により、本発明を詳細に説明する。【００１８】
図１ないし図１１に示す本発明を実施するための最良の第１の形態において、１は本発明の糞回収具で、この糞回収具１は防水性のシート材で形成された糞収納袋２と、この糞収納袋２の両側面の開口端部に先端部が位置するように先端部が該糞収納袋２に取付けられた一対の取手板３、３とで構成されている。【００１９】
前記糞収納袋２は図４に示すようにナイロンやビニール等の合成樹脂シート、生分解性樹脂シートや防水シートを皮膜した皮膜シートを用いて、開口部４が大きい台形状に形成された糞収納袋本体５と、この糞収納袋本体５の開口部側を外側へ折り返し、開口部４側が小幅寸法となるように溶着６、６して形成した一対の取手板収納部７、７とで構成されている。【００２０】
前記一対の取手板３、３は図５に示すように、前記糞収納袋２の一対の取手板収納部７、７へ曲げて先端部を収納することにより、容易に抜け脱しない生分解性樹脂で台形状の板状に形成された取手板本体８、８と、この取手板本体８、８の後端寄りの部位に形成された、指を挿入することができる指挿入孔９、９と、前記一方の取手板本体８の後端部寄りの部位に、ほぼリップミゾ形鋼形状の輪郭に切り欠き１０を形成した、他方の取手板本体８を係止させるための係止手段としての係止片１１とで構成されている。【００２１】
上記構成の糞回収具１は、輸送や持ち歩き時には図６に示すように折りたたまれ、ポケットに容易に収納できる大きさになっている。
犬が糞をして回収する場合には、糞収納袋２を開放し、図７に示すように一対の取手板３、３を手でつかみ、開口部４を開口する。
この状態で、図８に示すように糞収納袋２の開口部４内に糞１２を位置させ、一対の取手板３、３の先端部が位置する糞収納袋２の開口端部をへらを操作する状態で中央部に糞１２を収めて、図９に示すように該開口端部が当接するように押し圧することにより、糞収納袋２内に糞１２を収納することができる。
この糞収納袋２の開口端部を当接させた状態で、図１０に示すように該開口端部を上方に位置させ、図１１に示すように一対の取手板３、３を重ね合わせ、係止片１１で一対の取手板３、３を係止させる。
この状態で、一対の取手板３、３の指挿入孔９、９、９、９へ指を挿入して、ぶら下げ状態で持ち帰ったり、他の袋の収納して持ち帰りする。
持ち帰った糞を処理する場合には、一対の取手板３、３を糞収納袋２より引張ることにより、一対の取手板３、３を取り外すことができ、他の糞収納袋２の一対の取手板収納部７、７に収納して再使用する。
この時、一対の取手板３、３の先端部は、一対の取手板収納部７、７に収納されているため、糞１２の収納回収時には糞が付着することがないので、きれいに使用することができる。【００２２】
次に、図１２ないし図２9に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００２３】
図１２ないし図１４に示す本発明を実施するための第２の形態において、前記本発明を実施するための最良の第１の形態と主に異なる点は、糞収納袋本体５の両側面の開口端部に内底面が位置するように一対の取手板収納袋１３、１３を両面接着テープあるいは接着剤で固定した糞収納袋２Ａを用いた点で、このように形成された糞収納袋２Ａを用いて構成した糞回収具１Ａにしても、前記本発明を実施するための最良の第１の形態と同様な作用効果が得られる。【００２４】
図１５ないし図１７に示す本発明を実施するための第３の形態において、前記本発明を実施するための最良の第１の形態と主に異なる点は、厚紙、段ボール、合成樹脂板等で形成された一対の取手板３Ａ、３Ａと、開口端部を外側へ折り返して袋部１４、１４を形成した長方形状の糞収納袋２Ｂと、この糞収納袋２Ｂの両側部の袋部１４、１４内に、前記一対の取手板３Ａ、３Ａの先端部を挿入して溶着あるいは接着剤、ホチキス等で固定する固定手段１５、１５とで構成した点で、このように構成された糞回収具１Ｂは使い捨て状態での使用になるが、それ以外は前記本発明を実施するための最良の第１の形態と同様な作用効果が得られる。【００２５】
図１８ないし図２０に示す本発明を実施するための第４の形態において、前記本発明を実施するための第３の形態と主に異なる点は、糞収納袋２Ｂの両側部の袋部１４、１４の外側片１４ａ、１４ａを挟着することができる挟着片１６を形成した一対の取手板３Ｂ、３Ｂを用いた点で、このような一対の取手板３Ｂ、３Ｂを用いて構成した糞回収具１Ｃにしても、前記本発明を実施するための第３の形態と同様な作用効果が得られるとともに、一対の取手板３Ｂ、３Ｂが糞収納袋２Ｂに着脱可能に取付けられるので、一対の取手板３Ｂ、３Ｂを再使用することができる。【００２６】
図２１ないし図２３に示す本発明を実施するための第５の形態において、前記本発明を実施するための最良の第１の形態と主に異なる点は、同じ大きさに形成された一対の取手板本体８Ａ、８Ａと、この一対の取手板本体８Ａ、８Ａの一方の取手板本体８Ａに係止手段の一方を形成する係合孔１７、１７を形成し、他方の取手板本体８Ａに前記係合孔１７、１７と係合する係合片１８、１８を形成した一対の取手板３Ｄ、３Ｄを用いた点で、このように構成した糞回収具１Ｄにしても、前記本発明を実施するための最良の第１の形態と同様な作用効果が得られる。【００２７】
図２４ないし図２６に示す本発明を実施するための第６の形態において、前記本発明を実施するための第５の形態と主に異なる点は、係止手段として一方の取手板本体８Ａに剥離紙１９で覆った両面接着テープ２０を貼着した一対の取手板３Ｅ、３Ｅを用いた点で、このような一対の取手板３Ｅ、３Ｅを用いて構成した糞回収具１Ｅにしても、前記本発明を実施するための第５の形態と同様な作用効果が得られる。【００２８】
図２7ないし図２９に示す本発明を実施するための第７の形態において、前記本発明を実施するための第３の形態と主に異なる点は、開口端部を外側へ折り返して袋部１４、１４を形成した長方形状の糞収納袋２Ｂと、この糞収納袋２Ｂの両側部の袋部１４、１４内に、一対の取手板３Ｆ、３Ｆの先端部を挿入して、該袋部１４、１４の外側の内壁面と該挿入された一対の取手板３Ｆ、３Ｆの先端部を接着剤で固定する固定手段１５、１５とで構成した点で、このように構成された糞回収具１Ｆにしても前記本発明を実施するための第３の形態と同様な作用効果が得られる。
なお、一対の取手板３Ｆ、３Ｆに形成された指挿入孔９Ａ、９Ａの一方は指挿入孔９Ａを切り抜き状態にすることなく一部を接続しておくことにより、係合片１８Ａとして使用することができる。【００２９】
なお、前記本発明を実施する各形態では、糞収納袋を透明な材質を用いて、糞の収納回収時に糞の状態が確認できるようにしてもよい。
また、不透明な材質の糞収納袋を用いて、糞回収後の持ち歩きが気軽にできるようにしてもよい。
さらに、一対の取手板は使い捨て状態で使用する場合には安い材質のものを選択するとともに、ゴミの分別が容易にできるように、糞収納袋と一対の取手板とを同じ材質のものを用いるとよい。
【産業上の利用可能性】
【００３０】
本発明は糞回収具を製造する産業で利用される。
【図１】
2007057970.tif 000003
【図２】
2007057970.tif 000004
【図３】
2007057970.tif 000005
【図４】
2007057970.tif 000006
【図５】
2007057970.tif 000007
【図６】
2007057970.tif 000008
【図７】
2007057970.tif 000009
【図８】
2007057970.tif 000010
【図９】
2007057970.tif 000011
【図１０】
2007057970.tif 000012
【図１１】
2007057970.tif 000013
【図１２】
2007057970.tif 000014
【図１３】
2007057970.tif 000015
【図１４】
2007057970.tif 000016
【図１５】
2007057970.tif 000017
【図１６】
2007057970.tif 000018
【図１７】
2007057970.tif 000019
【図１８】
2007057970.tif 000020
【図１９】
2007057970.tif 000021
【図２０】
2007057970.tif 000022
【図２１】
2007057970.tif 000023
【図２２】
2007057970.tif 000024
【図２３】
2007057970.tif 000025
【図２４】
2007057970.tif 000026
【図２５】
2007057970.tif 000027
【図２６】
2007057970.tif 000028
【図２７】
2007057970.tif 000029
【図２８】
2007057970.tif 000030
【図２９】
2007057970.tif 000031
【国際調査報告】
2007057970.tif 000032
2007057970.tif 000033